(57)【要約】【課題】通常時は、その機能が有効利用されていない雨水浸透トレンチの雨水浸透管が土中に設けられているという点に着目し、これを有効利用することにより、外気の取入れにおける省エネルギー・省コストを図る。【解決手段】そこで本発明では、雨水浸透トレンチ６の雨水浸透管７の一端側に、空調機３の吸込側に連なる外気取入れダクト５ｂを分岐構成すると共に、雨水浸透管の他端側に、外気取入れ口４ｂを地上に配置した外気取入れダクト５ｃを分岐構成し、空調機の吸込側には、建物の外気取入れ口４ａに連なる外気取入れダクト５ａを、上記外気取入れダクト５ｂと分岐構成すると共に、夫々の外気取入れダクトに経路切換用のダンパー１０ａ，１０ｂを設けた建物の外気取入れ機構を提案する。【選択図】　　　図１
2004101124.tif 000002
【特許請求の範囲】
【請求項１】
雨水浸透トレンチの雨水浸透管の一端側に、空調機の吸込側に連なる外気取入れダクトを分岐構成すると共に、雨水浸透管の他端側に、外気取入れ口を地上に配置した外気取入れダクトを分岐構成し、空調機の吸込側には、建物の外気取入れ口に連なる外気取入れダクトを、上記外気取入れダクトと分岐構成すると共に、夫々の外気取入れダクトに経路切換用のダンパーを設けたことを特徴とする外気取入れ機構
【請求項２】
経路切換用のダンパーは降雨計による降雨検出信号に基づいて開閉制御することを特徴とする請求項１に記載の建物の外気取入れ機構
【請求項３】
雨水浸透管の他端側に接続する雨水本管との間に開閉弁を設け、このダンパーを降雨計による降雨検出信号に基づいて開閉制御することを特徴とする請求項１又は２に記載の建物の外気取入れ機構
【請求項４】
雨水浸透管の他端側に接続する雨水本管との間に逆止弁を設けたことを特徴とする請求項１又は２に記載の建物の外気取入れ機構
【発明の詳細な説明】
【０００１】
【発明の属する技術分野】
本発明は、建物の外気取入れ機構に関するものである。
【０００２】
【従来の技術】
建物には室内空気を健全に維持するため、一定量の外気を導入する必要があり、このことは建物の用途や規模により公的に義務付けられている。建物において空調用の外気取入れは、各階の空調機室に外壁に設けた外気取入れ口から直接に取り入れるのが普通であり、その取入れは空調負荷の一部を占めることになる。即ち、夏季に外気を導入する場合、例えば東京では外気の温度が約３３℃程度であるため室内空調条件の約２６℃に下げるためには、外調機を設けるか、又は空調機の容量を大きくして室内空気に混入させる必要がある。同様に、冬季は外気温度が約３℃であるため、外気を室内空調条件に適合させるためには、加熱するためのエネルギーが必要となる。
【０００３】
このことから外気の取入れが空調負荷に占める割合は、例えば夏季では３０％、冬季では５０％以上となるのが一般的であり、この外気負荷を減らすことは省エネルギー・省コストにつながる。
【０００４】
一方、一定規模以上の建築物においては、公共下水道の放流限度を越える降雨があった場合を想定して、雨水の敷地外への放流量をコントロールすることが義務付けられている。その方法としては、敷地内の一部地盤レベルを下げて貯留する方法、地下に貯留槽を設ける方法、地中に垂直に竪管、即ち浸透桝を設けて浸透させる方法、土中に水が浸透できるような多孔室の材質から成るトレンチ、即ち雨水浸透トレンチを、地中に水平方向に設けることにより、地中に積極的に浸透させる方法等があり、これらの方法は敷地のレベルや空地の状況等を勘案し、機能、コスト等を総合的に検討、判断して選択された方法が実施されている。
【０００５】
これらのうち、雨水浸透トレンチは、地中への雨水の浸透機能を持たせるためと、トレンチ上部の荷重を考慮して、透水性の管、即ち雨水浸透管が１〜２ｍの深さの土中に設けられており、土中は年間の温度が気温のようには変動せずに比較的一定であるため、雨水浸透管の周囲の温度は、例えば夏季２０℃、冬季１０℃程度に維持される。
【０００６】
【発明が解決しようとする課題】
このような雨水浸透トレンチは、多量な降雨があった場合に、公共下水道や雨水管が満水になって、道路の冠水等の水害が発生することを防止するための安全弁として設けられているものであって、通常時は、その機能が有効利用されるものではない。
【０００７】
本発明者等は、上述したように外気の取入れが空調負荷の一部を占めていて、この外気負荷を減らすことが省エネルギー・省コストにつながるという課題に対して、通常時は、その機能が有効利用されていない雨水浸透トレンチの雨水浸透管が土中に設けられているという点に着目し、これを有効利用することにより、外気の取入れにおける省エネルギー・省コストを図ることを目的とするものである。
【０００８】
【課題を解決するための手段】
上述した課題を解決するために本発明では、雨水浸透トレンチの雨水浸透管の一端側に、空調機の吸込側に連なる外気取入れダクトを分岐構成すると共に、雨水浸透管の他端側に、外気取入れ口を地上に配置した外気取入れダクトを分岐構成し、空調機の吸込側には、建物の外気取入れ口に連なる外気取入れダクトを、上記外気取入れダクトと分岐構成すると共に、夫々の外気取入れダクトに経路切換用のダンパーを設けた外気取入れ機構を提案する。
【０００９】
また本発明では、上記構成において、経路切換用のダンパーは降雨計による降雨検出信号に基づいて開閉制御することを提案する。
【００１０】
また本発明では、以上の構成において、雨水浸透管の他端側に接続する雨水本管との間に開閉弁を設け、この開閉弁を降雨計による降雨検出信号に基づいて開閉制御する構成としたり、又は雨水浸透管の他端側に接続する雨水本管との間に逆止弁を設けることを提案する。
【００１１】
以上の本発明においては、一定量以上の降雨があった場合には、雨水浸透トレンチの雨水浸透管内には建物の雨樋からの雨水が流入して、本来の機能である、雨水の土中への浸透の機能が発揮される。
【００１２】
この場合には、雨水浸透管に連なる外気取入れダクトのダンパーは閉とすると共に、建物の外気取入れ口に連なる外気取入れダクトのダンパーを開とする。こうすることにより、建物の外気取入れ口から外気取入れダクトを介して空調機の吸込側に外気を取り入れることができる。
【００１３】
一方、一定量以上の降雨がない場合には、建物の外気取入れ口に連なる外気取入れダクトのダンパーは閉とすると共に、雨水浸透管に連なる外気取入れダクトのダンパーを開とする。こうすることにより、外気は、空気取入れ口から外気取入れダクトを経て雨水浸透管の他端側に流入し、この雨水浸透管を他端側から一端側に流れて、その一端側に構成された外気取入れダクトを経て空調機の吸込側に取り入れることができる。
【００１４】
この際、外気は、雨水浸透管を他端側から一端側に流れる際に、土中と熱交換し、その熱交換により、夏季は外気の温度よりも低くなると共に、冬季は外気の温度よりも高くなった状態で、空調機の吸込側に供給されるため、外気取入れによる空調負荷の上昇を抑制することができ、こうして省エネルギー・省コストを図ることができる。
【００１５】
以上に述べた外気の取入れ経路の切換えを行うダンパーは、降雨計による降雨検出信号に基づいて開閉制御することにより自動化を図ることができる。
【００１６】
また雨水浸透管を通して外気の取入れを行っている際は、雨水浸透管の他端側に接続する雨水本管との間に設けた開閉弁を閉としたり、又は雨水浸透管の他端側に接続する雨水本管との間に逆止弁を設けることにより、雨水本管から雨水浸透管への臭気の流入を防止することができる。
【００１７】
【発明の実施の形態】
次に本発明の実施の形態を図１を参照して説明する。
図１は本発明による外気取入れ機構を示す概念図であり、符号１は建物、２は地面を示すものである。符号３はＡＨＵ等の空調機であり、その吸込側に、建物の外気取入れ口４ａに連なる外気取入れダクト５ａを構成している。
【００１８】
符号６は雨水浸透トレンチを示すもので、この雨水浸透トレンチ６は、図においては詳細な図示を省略しているが、土中を掘削した溝に砕石等を充填し、この中に左右側に配置された浸透桝に連結された透水性の管、即ち雨水浸透管７を設置した構成である。
【００１９】
雨水浸透管７の一端側、この場合、図中左側には、建物１の雨樋８の接続部９を構成すると共に、更に外気取入れダクト５ｂを分岐構成している。この外気取入れダクト５ｂは上記外気取入れダクト５ａと分岐構成されて空調機３の吸込側に接続されている。そして、これらの外気取入れダクト５ａ，５ｂの夫々には経路切換用のダンパー１０ａ，１０ｂを設けている。
【００２０】
一方、雨水浸透管７の他端側は、接続管１１を介して雨水本管１２に接続しており、この接続管１１には開閉弁１３を設けている。また雨水浸透管７の他端側には外気取入れダクト５ｃを分岐構成しており、この外気取入れダクト５ｃの外気取入れ口４ｂは地上に配置している。
【００２１】
そして、この実施の形態においては、上記ダンパー１０ａ，１０ｂは降雨計（図示省略）による降雨検出信号に基づいて開閉制御する構成としており、即ち、降雨計が、設定値以上の降雨を検出した場合には、ダンパー１０ａは開、ダンパー１０ｂは閉とする制御を行い、逆に設定値以上の降雨を検出しない場合には、ダンパー１０ｂを開、ダンパー１０ａを閉とする制御を行う構成としている。
【００２２】
一方、開閉弁１３も降雨計（図示省略）による降雨検出信号に基づいて開閉制御する構成としており、即ち、降雨計が、設定値以上の降雨を検出した場合には開、逆に設定値以上の降雨を検出しない場合には閉とする制御を行う構成としている。
【００２３】
この開閉弁１３は、雨水を雨水浸透管７から雨水本管１２に流出させると共に、臭気の雨水浸透管７への流入を防止するためのものてあるから、その制御は、ダンパー１０ａと同様な開閉状態となるように連動して制御することができ、また逆止弁により構成することもできる。
【００２４】
以上の構成において、一定量、即ち設定値以上の降雨があり、それを降雨計が検出した場合には、ダンパー１０ａと開閉弁１３が開となり、ダンパー１０ｂは閉となる。
【００２５】
この状態においては雨水浸透トレンチ６の雨水浸透管７内には建物１の雨樋８からの雨水が流入して、本来の機能である、雨水の土中への浸透の機能が発揮される。また雨水の一部は、雨水浸透管７の他端側から開状態の開閉弁１３、接続管１１を経て雨水本管１２に流出する。一方、外気は、建物１の外気取入れ口４ａから外気取入れダクト５ａを介して空調機３の吸込側に取り入れることができる。
【００２６】
一方、一定量以上の降雨がなく、降雨計が、設定値以上の降雨を検出していない場合には、ダンパー１０ｂは開となり、ダンパー１０ａと開閉弁１３は閉となる。
【００２７】
この状態においては、外気は、空気取入れ口４ｂから外気取入れダクト５ｃを経て雨水浸透管７の他端側に流入し、この雨水浸透管７を他端側から一端側に流れて、その一端側に構成された外気取入れダクト５ｂを経て空調機３の吸込側に取り入れることができる。
【００２８】
上述したとおり雨水浸透トレンチ６は、地中への雨水の浸透機能を持たせるためと、トレンチ上部の荷重を考慮して、雨水浸透管７が１〜２ｍの深さの土中に設けられており、土中は年間の温度が気温のようには変動せずに比較的一定であるため、雨水浸透管７の周囲の温度は、例えば夏季２０℃、冬季１０℃程度に維持される。
【００２９】
従って外気は、上述したように雨水浸透管７を他端側から一端側に流れる際に、土中と熱交換し、その熱交換により、夏季は外気の温度よりも低くなると共に、冬季は外気の温度よりも高くなった状態で、空調機３の吸込側に供給されるため、外気取入れによる空調負荷の上昇を抑制することができ、こうして省エネルギー・省コストを図ることができる。
【００３０】
一方、上述したように雨水浸透管７を通して外気の取入れを行っている際は、雨水浸透管７の他端側と雨水本管１２との間に設けた開閉弁１３は閉状態であるので、雨水本管１２から雨水浸透管７へ、従って空調機３を介して室内に臭気が流入することを防止することができる。
【００３１】
【発明の効果】
本発明は以上のとおりであるので、次のような効果がある。
ａ．空調機を介して取り入れる外気を、夏季においては外気の温度よりも低く、冬季においては外気の温度よりも高い土中と熱交換するため、外気の取入れによる空調負荷の増加を防止し、省エネルギー・省コストを図ることができる。
ｂ．外気と土中との熱交換は、通常時は、その機能が有効利用されていない雨水浸透トレンチの雨水浸透管を利用して行うので、従来は非常時用にのみ利用するものとして設置される雨水浸透トレンチの有効利用を図れ、設備費を安く実現することができる。
ｃ．自然エネルギーを利用するので、地球環境に配慮した省エネルギー方法が実現される。
【図面の簡単な説明】
【図１】本発明による外気取入れ機構を概念図に表した系統図である。
【符号の説明】
１　　　　　　　　　　建物
２　　　　　　　　　　地面
３　　　　　　　　　　空調機
４ａ，４ｂ　　　　　　外気取入れ口
５ａ，５ｂ，５ｃ　　　外気取入れダクト
６　　　　　　　　　　雨水浸透トレンチ
７　　　　　　　　　　雨水浸透管
８　　　　　　　　　　雨樋
９　　　　　　　　　　接続部
１０ａ，１０ｂ　　　　ダンパー
１１　　　　　　　　　接続管
１２　　　　　　　　　雨水本管
１３　　　　　　　　　開閉弁
【図１】
2004101124.tif 000003